(57)【要約】【課題】  ゴミ袋に入れられるゴミの量を通常より増加させることができ、しかも袋の口部を簡単且つ確実に閉じることができるようにする。【解決手段】    左右一対の挟止線材２・３と、両挟止線材２・３の基端部２ａ・３ａと一体に形成された頭部４とを有し、一方の挟止線材２が直線状または螺旋状であり、他方の挟止線材３が一方の挟止線材２の外周面に巻き付くように形成された螺旋状であり、両挟止線材２・３の先端部２ｂ・３ｂによって略Ｖ字状の袋挿入口５が形成されており、該袋挿入口５に袋Ｂの口部Ｅを入れて、頭部４をひねることにより、袋Ｂの口部Ｅが両挟止体２・３間に挟まれて閉止されるようになされている。【選択図】  図３
2008100723.tif 000002
【特許請求の範囲】
【請求項１】
左右一対の挟止線材と、両挟止線材の基端部と一体に形成された頭部とを有し、一方の挟止線材が直線状であり、他方の挟止線材が一方の挟止線材の外周面に巻き付くように形成された螺旋状であり、両挟止線材の先端部によって略Ｖ字状の袋挿入口が形成されている、ゴミ袋等の口部閉止用クリップ。
【請求項２】
他方の挟止線材が三箇所の屈曲部を有する、請求項１記載のゴミ袋等の口部閉止用クリップ。
【請求項３】
左右一対の挟止線材と、両挟止線材の基端部と一体に形成された頭部とを有し、両挟止線材は互いに巻き付き合う螺旋状となされ、両挟止線材の先端部によって略Ｖ字状の袋挿入口が形成されている、ゴミ袋等の口部閉止用クリップ。
【請求項４】
両挟止線材がそれぞれ三箇所の屈曲部を有する、請求項３記載のゴミ袋等の口部閉止用クリップ。
【請求項５】
両挟止線材の表面に多数の滑り止め用小突起が形成された、請求項１〜請求項４のうちのいずれか一項記載のゴミ袋等の口部閉止用クリップ。
【請求項６】
頭部に提げ紐が取り付けられた、請求項１〜請求項５のうちのいずれか一項記載のゴミ袋等の口部閉止用クリップ。
【請求項７】
両挟止線材の先端部が半円状または半球状となされた、請求項１〜請求項６のうちのいずれか一項記載のゴミ袋等の口部閉止用クリップ。
【請求項８】
分解性プラスチックで構成された、請求項１〜請求項７のうちのいずれか一項記載のゴミ袋等の口部閉止用クリップ。
【発明の詳細な説明】
【技術分野】
【０００１】
本発明は、ゴミ袋等の口部を閉止するのに用いる口部閉止用クリップに関する。
【背景技術】
【０００２】
日本における経済成長は大量生産・大量消費・大量廃棄という消費形態を生み出し、その結果、全国の地方自治体では大量のゴミを処分するための用地および処理施設の確保が必要となり、またこれを実行するための予算の捻出も必要となってきている。こうした状況のなかで、近年、多くの自治体は、ゴミを収集するための袋を指定すると共に、該袋を実費に料金を上乗せした価格で販売することによりゴミ回収の有料化を行っている。
【０００３】
そして、このようなゴミ回収の有料化の影響で住民はゴミを出す際に一枚のゴミ袋に出来るだけ多くのゴミを詰めようとするが、最終的にはゴミの口部を手で結んで閉じる必要があることから、通常、ゴミ袋の容量（４５リットル）いっぱいまでゴミを入れることはできず、不経済な面がある。また住民は、日常、出来るだけ多くのゴミを袋に収容するために袋に入れたゴミを外側から手や足で押して圧縮したり、ゴミ袋の口部を小さく結んだりしているが、前者の場合、袋内に尖った形状のゴミが入っていたときにはゴミ袋に穴が開いて袋自体が破れてしまったり、袋内の悪臭が外部に漏れる等の問題が生ずる。また後者の場合にはゴミ袋の口部の結びが不十分になり易く、その結果、ゴミ収集作業の際に袋の口部がほどけてゴミが地面にこぼれたり、或いは作業員がゴミの入った袋を収集車に容易に投入できず、該作業に危険を伴うといった問題がある。
【０００４】
従来、このような問題に対処するために、ゴミ袋の口部に管状部を形成し、該管状部に閉じ紐や粘着テープを通して、これらにより口部を閉じるようにしたゴミ袋も開発されている。
【特許文献１】特開２０００−２７２６４２号
【特許文献２】特開２００１−２０６５０１号
【発明の開示】
【発明が解決しようとする課題】
【０００５】
前述した従来のゴミ袋の場合、その口部に管状部を形成すると共に該管状部に閉じ紐や粘着テープを通す必要があることから、通常のゴミ袋に比べて製造作業に手間を要し、またコストも高くなるといった問題がある。
【０００６】
本発明は、前述したような実情に鑑みてなされたものであって、その目的とするところはゴミ袋に入れられるゴミの量を通常より増加させることができ、しかも袋の口部を簡単且つ確実に閉じることができるクリップを提供することにある。
【課題を解決するための手段】
【０００７】
請求項１記載の本発明は、左右一対の挟止線材と、両挟止線材の基端部と一体に形成された頭部とを有し、一方の挟止線材が直線状であり、他方の挟止線材が一方の挟止線材の外周面に巻き付くように形成された螺旋状であり、両挟止線材の先端部によって略Ｖ字状の袋挿入口が形成されているゴミ袋等の口部閉止用クリップである。
【０００８】
本願において、挟止線材とはゴミ袋等の口部を閉止できる程度の細長いものであり、その断面形状は特に限定されず、断面円形、断面楕円形或いは断面方形等、種々の形状が適用され得る。
【０００９】
また、本発明に係るクリップの材質は、プラスチックや金属等、種々のものが使用される。
【００１０】
請求項２記載の本発明は、前記請求項１記載のクリップについて、他方の挟止線材が三箇所の屈曲部を有することを特徴とするものである。
【００１１】
請求項３記載の本発明は、左右一対の挟止線材と、両挟止線材の基端部と一体に形成された頭部とを有し、両挟止線材は互いに巻き付き合う螺旋状となされ、両挟止線材の先端部によって略Ｖ字状の袋挿入口が形成されているゴミ袋等の口部閉止用クリップである。
【００１２】
請求項４記載の本発明は、前記請求項３記載のクリップについて、両挟止線材がそれぞれ三箇所の屈曲部を有することを特徴とするものである。
【００１３】
請求項５記載の本発明は、前記請求項１〜請求項４のうちのいずれか一項記載のクリップについて、両挟止線材の表面に多数の滑り止め用小突起が形成されたことを特徴とするものである。
【００１４】
前記小突起は、挟止線材の表面全面に形成される他、必要な箇所に部分的に形成される場合もある。
【００１５】
請求項６記載の本発明は、前記請求項１〜請求項５のうちのいずれか一項記載のクリップについて、頭部に提げ紐が取り付けられたことを特徴とするものである。
【００１６】
請求項７記載の本発明は、前記請求項１〜請求項６のうちのいずれか一項記載のクリップについて、両挟止線材の先端部が半円状または半球状となされたことを特徴とするものである。
【００１７】
請求項８記載の本発明は、前記請求項１〜請求項７のうちのいずれか一項記載のクリップについて、分解性プラスチックで構成されていることを特徴とするものである。
【００１８】
分解性プラスチックとしては、トウモロコシや米を原材料とするもの等が挙げられる。
【発明の効果】
【００１９】
本発明に係るクリップによれば、その袋挿入口にゴミ袋の小さくまとめた状態の口部を入れてクリップ頭部を前記袋口部方向へ押しながらひねるだけで、両挟止線材が一旦開離して袋口部が両挟止線材間に入ると共に両挟止線材が閉じることで最終的にゴミ袋の口部が確実に閉止される。また、本発明に係るクリップは、前述したように、片手だけでゴミ袋の口部に装着することができ、従来のように、両手を使ってゴミ袋の口部を結んだり、紐等で縛る必要がないため、お年寄りや女性或いは子供等でも容易に使用することができる。
【００２０】
また、本発明のクリップは、前述したように、ゴミ袋の口部を結ばずに閉止することができるものであるため、従来のように、ゴミ袋の口部を結ぶための余裕を残してゴミを入れる必要がなく、ゴミ袋の容量に近いゴミを入れることができ、そのため経済的であり、しかも、前述したように、ゴミ袋の口部は確実に閉止されるため、ゴミの悪臭が袋外へ漏れるおそれもない。
【００２１】
更に、ゴミの回収作業においても、作業者がゴミ袋を収集車へ持ち運ぶ際、その口部がほどけることがないため、回収作業がスムーズ且つ安全に行える。
【００２２】
また、ゴミ袋に追加的にゴミを入れる場合には、当該クリップの頭部を前記と逆方向にひねるだけで容易に取り外すこともできる。すなわち、通常では行わない、ひねりの動作によって、袋の口部の開閉を簡単且つ確実に行うことができるのである。
【００２３】
更に、本発明に係るクリップは、従来のように、ゴミ袋の口部に管状部を形成し、これに閉じ紐を通すといった手間や材料コストが要らず、安価に製造できるため、使い捨てにすることができ、また当該クリップを分解性プラスチックで構成すれば、環境への負荷も解消される。
【００２４】
左右一対の挟止線材の一方または両方が三箇所の屈曲部を有する本発明のクリップによれば、第二屈曲部と第三屈曲部との間にゴミ袋の口部を挟止することができ、且つクリップの全長を短く抑えることができる。
【００２５】
また、両挟止線材の表面に滑り止め用小突起を形成した本発明に係るクリップによれば、ゴミ袋の口部の閉止がより強固となる。
【００２６】
この他、頭部に提げ紐を取り付けた本発明に係るクリップの場合、当該クリップをゴミ袋に付けて販売することができるという利点がある。
【００２７】
また、両挟止線材の先端部が半円状または半球状となされた本発明に係るクリップの場合、ゴミ袋の口部がよりスムーズに袋挿入口へ誘導されるという利点がある。
【発明を実施するための最良の形態】
【００２８】
次に、本発明の実施形態を図面にしたがって説明するが、本発明はかかる実施形態に限定されるものではなく、その要旨の範囲内で種々の変形実施が可能である。
【００２９】
（実施形態１）
【００３０】
本実施形態に係るクリップ(1)は、プラスチック製であって、左右一対の挟止線材(2)(3)と、両挟止線材(2)(3)の基端部(2a)(3a)と一体に形成された頭部(4)とを有し、左側挟止線材(2)が直線状であり、右側挟止線材(3)が左側挟止線材(2)の外周面に巻き付くように形成された螺旋状であり、両挟止線材(2)(3)の先端部(2b)(3b)によって略Ｖ字状の袋挿入口(5)が形成されている。
【００３１】
両挟止線材(2)(3)は横断面略円形であって、表面に滑り止め用小突起(6)が多数形成されている。また、両挟止線材(2)(3)の最先端部(2C)(3C)は半球状となされている。右側挟止線材(3)は、本実施形態では、基端部(3a)から第一屈曲部(K1)、第二屈曲部(K2)および第三屈曲部(K3)を有している。
【００３２】
頭部(4)は略立方体形状であって、中央に透孔(7)が形成され、該透孔(7)内に提げ紐(8)が通され、提げ紐(8)は全体で輪になっている。
【００３３】
次に、本実施形態に係るクリップ(1)の使用要領について説明すると、図２に示すように、ゴミ袋(B)の口部(E)を小さくまとめておき、これをクリップ(1)の袋挿入口(5)に入れ、この状態で頭部(4)を矢印Ａ方向にひねることによって、ゴミ袋(B)の口部(E)が右側挟止線材(3)の第三屈曲部(K3)を通過して該第三屈曲部(K3)と第二屈曲部(K2)間に進入すると共に該部で両挟止線材(2)(3)に挟み止められ、その結果、ゴミ袋(B)の口部(E)が閉止された状態となる（図３参照）。
【００３４】
（実施形態２）
【００３５】
本実施形態に係るクリップ(21)は、とうもろこしや米等を原材料とする分解性プラスチックで構成され、図４に示すように、左右一対の挟止線材(22)(23)と、両挟止線材(22)(23)の基端部(22a)(23a)と一体に形成された頭部(24)とを有し、両挟止線材(22)(23)は互いに巻き付き合う螺旋状となされ、両挟止線材(22)(23)の先端部(22b)(23b)によって略Ｖ字状の袋挿入口(25)が形成されている。
【００３６】
両挟止線材(22)(23)は、前記実施形態１と同様、横断面略円形であって、表面に滑り止め用小突起(26)が多数形成されている。また、両挟止線材(22)(23)の最先端部(22c)(23c)も半球状となされている。両挟止線材(22)(23)は、いずれも基端部から第一屈曲部(K21)（K31）、第二屈曲部(K22)（K32）および第三屈曲部(K23)（K33）を有している。
【００３７】
頭部(24)は、前記実施形態１と同様、略立方体形状であって、中央に透孔(27)が形成され、該透孔(27)内に提げ紐(28)が通されている。
【００３８】
次に、本実施形態に係るクリップ(21)の使用要領について説明すると、図５に示すように、ゴミ袋(B)の口部(E)を小さくまとめておき、これをクリップ(21)の袋挿入口(25)に入れ、この状態で頭部(24)を矢印Ａ方向にひねることによって、ゴミ袋(B)の口部(E)が両挟止線材(22)(23)における第三屈曲部(K23)（K33）を通過して該第三屈曲部(K23)（K33）と第二屈曲部(K22)（K32）間に進入すると共に該部で両挟止線材(22)(23)に挟み止められ、その結果、ゴミ袋(B)の口部(E)が閉止された状態となる（図６参照）。
【産業上の利用可能性】
【００３９】
本発明に係るクリップは、片手で袋の口部を簡単且つ確実に閉止できるものであるため、ゴミ袋は勿論、菓子やパン等の種々の袋の口部閉止に広く利用することができる。
【図面の簡単な説明】
【００４０】
【図１】実施形態１に係るクリップの正面図である。
【図２】同実施形態に係るクリップの装着直前の状態を示す正面図である。
【図３】同実施形態に係るクリップの装着後の状態を示す正面図である。
【図４】実施形態２に係るクリップの正面図である。
【図５】同実施形態に係るクリップの装着直前の状態を示す正面図である。
【図６】同実施形態に係るクリップの装着後の状態を示す正面図である。
【符号の説明】
【００４１】
(1)(21)  クリップ
(2)(22)  右側挟止線材
(3)(23)  左側挟止線材
(4)(24)  頭部
(5)(25)  袋挿入口
【図１】
2008100723.tif 000003
【図２】
2008100723.tif 000004
【図３】
2008100723.tif 000005
【図４】
2008100723.tif 000006
【図５】
2008100723.tif 000007
【図６】
2008100723.tif 000008